【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
無線品質情報の有効性を判定する通信装置であって、
基地局に基づく無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
前記無線品質記憶手段に記憶された基地局識別子及び／又は周辺基地局識別子が、前記基地局測位データ測定値記憶手段に記憶された１つ以上の周辺基地局識別子と共通するか否かを判定し、偽と判定された当該基地局の前記無線品質情報を、無効な無線品質情報として破棄する有効性判定手段と
を有することを特徴とする通信装置。
【請求項２】
前記基地局測位データ測定値記憶手段は、複数基地局測位方式又はＡ−ＧＰＳ(Assisted-GPS)測位方式によって測定された、１つ以上の周辺基地局に基づく複数基地局測位データ測定値を記憶することを特徴とする請求項１に記載の通信装置。
【請求項３】
前記無線品質情報が測定された場所の位置情報を記憶する位置情報記憶手段と、
前記有効性判定手段によって真と判定された場合に、前記基地局に基づく前記無線品質情報に、前記位置情報記憶手段に記憶された前記位置情報を対応付けて記憶する有効無線品質記憶手段を更に有することを特徴とする請求項１又は２に記載の通信装置。
【請求項４】
前記有効性判定手段は、前記無線品質記憶手段に記憶された基地局識別子及び／又は周辺基地局識別子が、前記基地局測位データ測定値記憶手段に記憶された所定数以上の周辺基地局識別子と共通するか否かを判定することを特徴とする請求項１から３のいずれか１項に記載の通信装置。
【請求項５】
前記有効性判定手段は、前記無線品質情報記憶手段と前記基地局測位データ測定値記憶手段とに共通に含まれる基地局識別子について、当該基地局同士の無線品質情報の差が第１の所定閾値以下となる基地局数が、第２の所定数以上となった場合に真と判定することを特徴とする請求項１から３のいずれか１項に記載の通信装置。
【請求項６】
無線品質収集サーバへ、無線品質情報を送信する携帯端末であって、
基地局との間の前記無線品質情報を測定する無線通信インタフェース手段と、
前記無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
前記無線品質記憶手段に記憶された基地局識別子及び／又は周辺基地局識別子が、前記基地局測位データ測定値記憶手段に記憶された１つ以上の周辺基地局識別子と共通するか否かを判定し、偽と判定された当該基地局の前記無線品質情報を、無効な無線品質情報として破棄する有効性判定手段と、
前記有効性判定手段によって真と判定された当該基地局の前記無線品質情報を、前記無線品質収集サーバへ送信するデータ送信手段と
を有することを特徴とする携帯端末。
【請求項７】
前記基地局測位データ測定値記憶手段は、複数基地局測位方式又はＡ−ＧＰＳ(Assisted-GPS)測位方式によって測定された、１つ以上の周辺基地局に基づく複数基地局測位データ測定値を記憶することを特徴とする請求項６に記載の携帯端末。
【請求項８】
ＧＰＳ(Global Positioning System)測位方式を用いて測位電波を受信し且つ測位情報を出力する測位電波受信手段と、
前記ＧＰＳ測位方式に基づく前記測位情報に基づいて、又は、前記ＧＰＳ測位方式に基づく測位情報及び前記複数基地局測位データ測定値に基づく測位情報の組み合わせに基づいて、当該携帯端末の位置情報を算出する位置情報算出手段と、
前記有効性判定手段によって真と判定された場合に、前記基地局に基づく前記無線品質情報に、前記位置情報算出手段から出力された位置情報を対応付けて記憶する有効無線品質記憶手段と
を更に有することを特徴とする請求項６又は７に記載の携帯端末。
【請求項９】
携帯端末と、該携帯端末によって測定された無線品質情報を収集する無線品質収集サーバとを有する無線品質収集システムであって、
前記携帯端末は、
基地局との間の前記無線品質情報を測定する無線通信インタフェース手段と、
前記無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
ＧＰＳ測位方式を用いて測位電波を受信し且つ測位情報を出力する測位電波受信手段と、
前記測位情報に基づいて当該携帯端末の位置情報を算出する位置情報算出手段と、
前記無線品質情報、前記基地局測位データ測定値及び前記位置情報を、前記無線品質収集サーバへ送信するデータ送信手段と
を有し、
前記無線品質収集サーバは、
前記無線品質情報に基づく基地局識別子及び／又は周辺基地局識別子が、前記基地局測位データ測定値に基づく１つ以上の周辺基地局識別子と共通するか否かを判定し、偽と判定された当該基地局の前記無線品質情報を、無効な無線品質情報として破棄する有効性判定手段と、
前記有効性判定手段によって真と判定された場合に、前記無線品質情報に前記位置情報を対応付けて記憶する有効無線品質記憶手段と
を有することを特徴とする無線品質収集システム。
【請求項１０】
通信装置に搭載されたコンピュータを、無線品質情報の有効性を判定するように機能させる通信装置用のプログラムであって、
基地局に基づく無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
前記無線品質記憶手段に記憶された基地局識別子及び／又は周辺基地局識別子が、前記基地局測位データ測定値記憶手段に記憶された１つ以上の周辺基地局識別子と共通するか否かを判定し、偽と判定された当該基地局の前記無線品質情報を、無効な無線品質情報として破棄する有効性判定手段と
してコンピュータを機能させることを特徴とする通信装置用のプログラム。
【請求項１１】
通信装置における無線品質情報の有効性を判定する判定方法であって、
基地局に基づく無線品質情報を記憶する無線品質情報記憶部と、
基地局を用いた測位方式によって測定された、１つ以上の周辺基地局に基づく基地局測位データ測定値を記憶する基地局測位データ測定値記憶部と
を有し、
前記無線品質記憶手段に記憶された基地局識別子及び／又は周辺基地局識別子が、前記基地局測位データ測定値記憶手段に記憶された１つ以上の周辺基地局識別子と共通するか否かを判定し、偽と判定された当該基地局の前記無線品質情報を、無効な無線品質情報として破棄することを特徴とする通信装置における無線品質情報の有効性の判定方法。
【手続補正２】
【補正対象書類名】明細書
【補正対象項目名】００３４
【補正方法】変更
【補正の内容】
【００３４】
本発明によれば、無線品質情報の有効性を判定する通信装置であって、
基地局に基づく無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
無線品質記憶手段に記憶された基地局識別子及び／又は周辺基地局識別子が、基地局測位データ測定値記憶手段に記憶された１つ以上の周辺基地局識別子と共通するか否かを判定し、偽と判定された当該基地局の無線品質情報を、無効な無線品質情報として破棄する有効性判定手段と
を有することを特徴とする。
また、本発明の通信装置における他の実施形態によれば、
基地局測位データ測定値記憶手段は、複数基地局測位方式又はＡ−ＧＰＳ(Assisted-GPS)測位方式によって測定された、１つ以上の周辺基地局に基づく複数基地局測位データ測定値を記憶することも好ましい。
【手続補正３】
【補正対象書類名】明細書
【補正対象項目名】００３６
【補正方法】変更
【補正の内容】
【００３６】
本発明の通信装置における他の実施形態によれば、有効性判定手段は、無線品質記憶手段に記憶された基地局識別子及び／又は周辺基地局識別子が、基地局測位データ測定値記憶手段に記憶された所定数以上の周辺基地局識別子と共通するか否かを判定することも好ましい。
【手続補正４】
【補正対象書類名】明細書
【補正対象項目名】００３７
【補正方法】変更
【補正の内容】
【００３７】
本発明の通信装置における他の実施形態によれば、有効性判定手段は、無線品質情報記憶手段と基地局測位データ測定値記憶手段とに共通に含まれる基地局識別子について、当該基地局同士の無線品質情報の差が第１の所定閾値以下となる基地局数が、第２の所定数以上となった場合に真と判定することも好ましい。
【手続補正５】
【補正対象書類名】明細書
【補正対象項目名】００３８
【補正方法】変更
【補正の内容】
【００３８】
本発明によれば、無線品質収集サーバへ、無線品質情報を送信する携帯端末であって、
基地局との間の無線品質情報を測定する無線通信インタフェース手段と、
無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
無線品質記憶手段に記憶された基地局識別子及び／又は周辺基地局識別子が、基地局測位データ測定値記憶手段に記憶された１つ以上の周辺基地局識別子と共通するか否かを判定し、偽と判定された当該基地局の無線品質情報を、無効な無線品質情報として破棄する有効性判定手段と、
有効性判定手段によって真と判定された当該基地局の無線品質情報を、無線品質収集サーバへ送信するデータ送信手段と
を有することを特徴とする。
また、本発明の携帯端末における他の実施形態によれば、
基地局測位データ測定値記憶手段は、複数基地局測位方式又はＡ−ＧＰＳ(Assisted-GPS)測位方式によって測定された、１つ以上の周辺基地局に基づく複数基地局測位データ測定値を記憶することも好ましい。
【手続補正６】
【補正対象書類名】明細書
【補正対象項目名】００３９
【補正方法】変更
【補正の内容】
【００３９】
本発明の携帯端末における他の実施形態によれば、
ＧＰＳ(Global Positioning System)測位方式を用いて測位電波を受信し且つ測位情報を出力する測位電波受信手段と、
ＧＰＳ測位方式に基づく測位情報に基づいて、又は、ＧＰＳ測位方式に基づく測位情報及び複数基地局測位データ測定値に基づく測位情報の組み合わせに基づいて、当該携帯端末の位置情報を算出する位置情報算出手段と、
有効性判定手段によって真と判定された場合に、基地局に基づく無線品質情報に、位置情報算出手段から出力された位置情報を対応付けて記憶する有効無線品質記憶手段と
を更に有することも好ましい。
【手続補正７】
【補正対象書類名】明細書
【補正対象項目名】００４０
【補正方法】削除
【補正の内容】
【手続補正８】
【補正対象書類名】明細書
【補正対象項目名】００４１
【補正方法】変更
【補正の内容】
【００４１】
本発明によれば、携帯端末と、該携帯端末によって測定された無線品質情報を収集する無線品質収集サーバとを有する無線品質収集システムであって、
携帯端末は、
基地局との間の無線品質情報を測定する無線通信インタフェース手段と、
無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
ＧＰＳ測位方式を用いて測位電波を受信し且つ測位情報を出力する測位電波受信手段と、
測位情報に基づいて当該携帯端末の位置情報を算出する位置情報算出手段と、
無線品質情報、基地局測位データ測定値及び位置情報を、無線品質収集サーバへ送信するデータ送信手段と
を有し、
無線品質収集サーバは、
無線品質情報に基づく基地局識別子及び／又は周辺基地局識別子が、基地局測位データ測定値に基づく１つ以上の周辺基地局識別子と共通するか否かを判定し、偽と判定された当該基地局の無線品質情報を、無効な無線品質情報として破棄する有効性判定手段と、
有効性判定手段によって真と判定された場合に、無線品質情報に位置情報を対応付けて記憶する有効無線品質記憶手段と
を有することを特徴とする。
【手続補正９】
【補正対象書類名】明細書
【補正対象項目名】００４２
【補正方法】削除
【補正の内容】
【手続補正１０】
【補正対象書類名】明細書
【補正対象項目名】００４３
【補正方法】変更
【補正の内容】
【００４３】
本発明によれば、通信装置に搭載されたコンピュータを、無線品質情報の有効性を判定するように機能させる通信装置用のプログラムであって、
基地局に基づく無線品質情報を記憶する無線品質情報記憶手段と、
基地局を用いた測位方式によって測定された、１つ以上の周辺基地局に基づく基地局測位データ測定値を記憶する基地局測位データ測定値記憶手段と、
無線品質記憶手段に記憶された基地局識別子及び／又は周辺基地局識別子が、基地局測位データ測定値記憶手段に記憶された１つ以上の周辺基地局識別子と共通するか否かを判定し、偽と判定された当該基地局の無線品質情報を、無効な無線品質情報として破棄する有効性判定手段と
してコンピュータを機能させることを特徴とする。
【手続補正１１】
【補正対象書類名】明細書
【補正対象項目名】００４４
【補正方法】変更
【補正の内容】
【００４４】
本発明によれば、通信装置における無線品質情報の有効性を判定する判定方法であって、
基地局に基づく無線品質情報を記憶する無線品質情報記憶部と、
基地局を用いた測位方式によって測定された、１つ以上の周辺基地局に基づく基地局測位データ測定値を記憶する基地局測位データ測定値記憶部と
を有し、
無線品質記憶手段に記憶された基地局識別子及び／又は周辺基地局識別子が、基地局測位データ測定値記憶手段に記憶された１つ以上の周辺基地局識別子と共通するか否かを判定し、偽と判定された当該基地局の無線品質情報を、無効な無線品質情報として破棄することを特徴とする。